(57)【要約】【課題】クロストークを小さくした低コストの立体表示装置を提供する。【解決手段】全面点灯および全面消灯するバックライトを備え、画面を上端から下端に向かって順に更新する立体表示装置において、画面上部に対応した映像信号にはアンダーシュート処理を行い、画面上部の画素の透過率を低速で変化させる。画面下部に対応した映像信号にはオーバーシュート処理を行い、画面下部の画素の透過率を高速で変化させる。画面内の垂直位置に応じてオーバーシュート処理とアンダーシュート処理の強度を切り替えて、画面上部と画面下部で発生するクロストークを小さくする。【選択図】図４
2014017652.tif 000002
【特許請求の範囲】
【請求項１】
シャッター眼鏡方式の立体表示装置であって、
画面を表示する液晶パネルと、
前記画面を第１方向に順に更新し、前記画面に左目用画像および右目用画像を交互に表示させるパネル駆動回路と、
前記液晶パネルの背面側に設けられ、全面点灯および全面消灯するバックライトと、
交互に開放状態に制御される左目用シャッターおよび右目用シャッターを有するシャッター眼鏡と、
入力映像信号に対してフレーム間の階調値の変化量を大きくまたは小さくする補正を行い、補正後の映像信号を前記パネル駆動回路に対して出力する映像信号補正部とを備え、
前記映像信号補正部は、前記画面内の前記第１方向の位置に応じて、前記変化量を大きくまたは小さくする程度を切り替えることを特徴とする、立体表示装置。
【請求項２】
前記パネル駆動回路は、前記画面を第１端から第２端に向かって順に更新し、
前記映像信号補正部は、前記入力映像信号に対して、前記第１端に近いほど前記変化量をより小さくし、前記第２端に近いほど前記変化量をより大きくする補正を行うことを特徴とする、請求項１に記載の立体表示装置。
【請求項３】
前記画面の中央部で前記左目用画像および前記右目用画像が分離して表示されるタイミングに従い、前記パネル駆動回路、前記バックライトおよび前記シャッター眼鏡に対する制御信号を生成する制御信号生成部をさらに備えた、請求項２に記載の立体表示装置。
【請求項４】
前記パネル駆動回路は、前記画面を第１端から第２端に向かって順に更新し、
前記映像信号補正部は、前記入力映像信号に対して、前記第２端に近いほど前記変化量をより大きくする補正を行うことを特徴とする、請求項１に記載の立体表示装置。
【請求項５】
前記画面の前記第２端よりも前記第１端に近い位置で前記左目用画像および前記右目用画像が分離して表示されるタイミングに従い、前記パネル駆動回路、前記バックライトおよび前記シャッター眼鏡に対する制御信号を生成する制御信号生成部をさらに備えた、請求項４に記載の立体表示装置。
【請求項６】
前記パネル駆動回路は、前記画面を前記第１方向の中央から第１端および第２端に向かって順に更新し、
前記映像信号補正部は、前記入力映像信号に対して、前記第１端および前記第２端に近いほど前記変化量をより大きくする補正を行うことを特徴とする、請求項１に記載の立体表示装置。
【請求項７】
前記画面の中央部で前記左目用画像および前記右目用画像が分離して表示されるタイミングに従い、前記パネル駆動回路、前記バックライトおよび前記シャッター眼鏡に対する制御信号を生成する制御信号生成部をさらに備えた、請求項６に記載の立体表示装置。
【請求項８】
画面を表示する液晶パネルと、前記液晶パネルの背面側に設けられ、全面点灯および全面消灯するバックライトと、交互に開放状態に制御される左目用シャッターおよび右目用シャッターを有するシャッター眼鏡とを含む立体表示装置の駆動方法であって、
入力映像信号に対してフレーム間の階調値の変化量を大きくまたは小さくする補正を行うステップと、
補正後の映像信号に基づき前記画面を第１方向に順に更新し、前記画面に左目用画像および右目用画像を交互に表示させるステップとを備え、
前記補正を行うステップは、前記画面内の前記第１方向の位置に応じて、前記変化量を大きくまたは小さくする程度を切り替えることを特徴とする、立体表示装置の駆動方法。
【発明の詳細な説明】
【技術分野】
【０００１】
本発明は、立体表示装置に関し、特に、シャッター眼鏡方式の立体表示装置に関する。
【背景技術】
【０００２】
従来から、画像を立体的に表示する各種の立体表示装置が知られている。以下、液晶パネルに画面を表示する、シャッター眼鏡方式の立体表示装置について説明する。シャッター眼鏡方式の立体表示装置では、画面に左目用画像と右目用画像が交互に表示され、利用者は左目用シャッターと右目用シャッターを有する眼鏡（以下、シャッター眼鏡という）を掛けて画面を見る。シャッター眼鏡は、左目用画像が表示されている間は左目用シャッターが開放状態になり、右目用画像が表示されている間は右目用シャッターが開放状態になるように制御される。これにより、利用者は立体画像を認識する。
【０００３】
シャッター眼鏡方式の立体表示装置では、左目用画像と右目用画像が混在して表示される現象（クロストークと呼ばれる）が発生し、表示品位が低下することがある。クロストークを低減するためには、画像表示とバックライトおよびシャッター眼鏡の制御を好適なタイミングで行う必要がある。
【０００４】
特許文献１には、画面を複数の領域に分割し、領域ごとに点灯と消灯を制御できるバックライトを用いて、クロストークを低減する立体表示装置が記載されている。この立体表示装置には、バックライトの制御を領域ごとに行うのでコストが増大するという問題がある。立体表示装置のコストを低減するためには、全面点灯および全面消灯するバックライトを用いることが好ましい。
【先行技術文献】
【特許文献】
【０００５】
【特許文献１】特開２０１０−２７６９２８号公報
【発明の概要】
【発明が解決しようとする課題】
【０００６】
しかしながら、全面点灯および全面消灯するバックライトを用いた立体表示装置では、画面全体でクロストークを一定にすることは困難である。図８は、立体表示装置における画素の透過率の変化の例を示す図である。画面を上端から下端に向かって順に更新する場合、画面中央部の画素の透過率は画面上部の画素の透過率よりも遅れて変化し、画面下部の画素の透過率は画面中央部の画素よりも遅れて変化する。バックライトは、期間Ｔ１で点灯する。
【０００７】
一般に立体表示装置では、画像を表示するタイミングとバックライトおよびシャッター眼鏡を制御するタイミングは、画面中央部でクロストークが小さくなるように固定的に決定されている。このため、画面中央部ではクロストークは小さくなるが、画面上部と画面下部では画面中央部よりも大きなクロストークが発生する。
【０００８】
図８では、画面上部の画素の透過率は、バックライト点灯期間Ｔ１内で変化し始める。このようにバックライトが消灯する前に画素の透過率が変化し始めるので、画面上部では現フレームの画像に次フレームの画像が混入し、クロストークが発生する。一方、画面下部の画素の透過率は、バックライト点灯期間Ｔ１の開始時点でまだ最終値に到達していない。このように画素の透過率が最終値に到達する前にバックライトが点灯するので、画面下部では現フレームの画像に前フレームの画像が混入し、クロストークが発生する。
【０００９】
それ故に、本発明は、クロストークを小さくした低コストの立体表示装置を提供することを目的とする。
【課題を解決するための手段】
【００１０】
第１の発明は、シャッター眼鏡方式の立体表示装置であって、
画面を表示する液晶パネルと、
前記画面を第１方向に順に更新し、前記画面に左目用画像および右目用画像を交互に表示させるパネル駆動回路と、
前記液晶パネルの背面側に設けられ、全面点灯および全面消灯するバックライトと、
交互に開放状態に制御される左目用シャッターおよび右目用シャッターを有するシャッター眼鏡と、
入力映像信号に対してフレーム間の階調値の変化量を大きくまたは小さくする補正を行い、補正後の映像信号を前記パネル駆動回路に対して出力する映像信号補正部とを備え、
前記映像信号補正部は、前記画面内の前記第１方向の位置に応じて、前記変化量を大きくまたは小さくする程度を切り替えることを特徴とする。
【００１１】
第２の発明は、第１の発明において、
前記パネル駆動回路は、前記画面を第１端から第２端に向かって順に更新し、
前記映像信号補正部は、前記入力映像信号に対して、前記第１端に近いほど前記変化量をより小さくし、前記第２端に近いほど前記変化量をより大きくする補正を行うことを特徴とする。
【００１２】
第３の発明は、第２の発明において、
前記画面の中央部で前記左目用画像および前記右目用画像が分離して表示されるタイミングに従い、前記パネル駆動回路、前記バックライトおよび前記シャッター眼鏡に対する制御信号を生成する制御信号生成部をさらに備える。
【００１３】
第４の発明は、第１の発明において、
前記パネル駆動回路は、前記画面を第１端から第２端に向かって順に更新し、
前記映像信号補正部は、前記入力映像信号に対して、前記第２端に近いほど前記変化量をより大きくする補正を行うことを特徴とする。
【００１４】
第５の発明は、第４の発明において、
前記画面の前記第２端よりも前記第１端に近い位置で前記左目用画像および前記右目用画像が分離して表示されるタイミングに従い、前記パネル駆動回路、前記バックライトおよび前記シャッター眼鏡に対する制御信号を生成する制御信号生成部をさらに備える。
【００１５】
第６の発明は、第１の発明において、
前記パネル駆動回路は、前記画面を前記第１方向の中央から第１端および第２端に向かって順に更新し、
前記映像信号補正部は、前記入力映像信号に対して、前記第１端および前記第２端に近いほど前記変化量をより大きくする補正を行うことを特徴とする。
【００１６】
第７の発明は、第６の発明において、
前記画面の中央部で前記左目用画像および前記右目用画像が分離して表示されるタイミングに従い、前記パネル駆動回路、前記バックライトおよび前記シャッター眼鏡に対する制御信号を生成する制御信号生成部をさらに備える。
【００１７】
第８の発明は、画面を表示する液晶パネルと、前記液晶パネルの背面側に設けられ、全面点灯および全面消灯するバックライトと、交互に開放状態に制御される左目用シャッターおよび右目用シャッターを有するシャッター眼鏡とを含む立体表示装置の駆動方法であって、
入力映像信号に対してフレーム間の階調値の変化量を大きくまたは小さくする補正を行うステップと、
補正後の映像信号に基づき前記画面を第１方向に順に更新し、前記画面に左目用画像および右目用画像を交互に表示させるステップとを備え、
前記補正を行うステップは、前記画面内の前記第１方向の位置に応じて、前記変化量を大きくまたは小さくする程度を切り替えることを特徴とする。
【発明の効果】
【００１８】
上記第１または第８の発明によれば、画面内の第１方向の位置に応じて、フレーム間の階調値の変化量を大きくまたは小さくする程度を切り替えることにより、画面内の第１方向の位置に応じて、画素の透過率が変化する速度を切り替えることができる。したがって、画面内の第１方向の位置にかかわらず、画素の透過率が変化し終わる時期を互いに近づけて、クロストークを小さくすることができる。また、全面点灯および全面消灯するバックライトを用いることにより、立体表示装置のコストを低減することができる。
【００１９】
上記第２の発明によれば、画面を１方向に順に更新する場合に、画面内で先に更新される部分ほど画素の透過率をより低速に変化させ、画面内で後に更新される部分ほど画素の透過率をより高速に変化させることにより、画素の透過率が変化し終わる時期を互いに近づけて、クロストークを小さくすることができる。
【００２０】
上記第３または第７の発明によれば、制御信号生成部で生成された制御信号を用いて画像表示とバックライトおよびシャッター眼鏡の制御を行うことにより、画面の中央部でクロストークを小さくすることができる。
【００２１】
上記第４の発明によれば、画面を１方向に順に更新する場合に、画面内で後に更新される部分ほど画素の透過率をより高速に変化させることにより、画素の透過率が変化し終わる時期を互いに近づけて、クロストークを小さくすることができる。
【００２２】
上記第５の発明によれば、制御信号生成部で生成された制御信号を用いて画像表示とバックライトおよびシャッター眼鏡の制御を行うことにより、画面の第１端に近い部分でクロストークを小さくすることができる。
【００２３】
上記第６の発明によれば、画面を中央から２方向に順に更新する場合に、画面内で後に更新される部分ほど画素の透過率をより高速に変化させることにより、画素の透過率が変化し終わる時期を互いに近づけて、クロストークを小さくすることができる。
【図面の簡単な説明】
【００２４】
【図１】本発明の第１の実施形態に係る立体表示装置の構成を示すブロック図である。
【図２】図１に示す立体表示装置に含まれる表示制御部の詳細を示すブロック図である。
【図３】図２に示す表示制御部に含まれるＬＵＴの構成例を示す図である。
【図４】図１に示す立体表示装置における画素の透過率の変化の例を示す図である。
【図５】本発明の第２の実施形態に係る立体表示装置における画素の透過率の変化の例を示す図である。
【図６】本発明の第３の実施形態に係る立体表示装置の構成を示すブロック図である。
【図７】図６に示す立体表示装置における画素の透過率の変化の例を示す図である。
【図８】従来の立体表示装置における画素の透過率の変化の例を示す図である。
【発明を実施するための形態】
【００２５】
（第１の実施形態）
図１は、本発明の第１の実施形態に係る立体表示装置の構成を示すブロック図である。図１に示す立体表示装置１０は、液晶パネル１１、表示制御部１２、走査信号線駆動回路１３、映像信号線駆動回路１４、バックライト１５、および、シャッター眼鏡１６を備えている。立体表示装置１０は、シャッター眼鏡方式の立体表示を行う。
【００２６】
液晶パネル１１は、画面を表示する表示パネルである。液晶パネル１１は、ｍ本の走査信号線Ｇ１〜Ｇｍ、ｎ本の映像信号線Ｓ１〜Ｓｎ、および、（ｍ×ｎ）個の画素Ｐを含んでいる（ただし、ｍおよびｎは２以上の整数）。走査信号線Ｇ１〜Ｇｍは、互いに平行に配置される。映像信号線Ｓ１〜Ｓｎは、走査信号線Ｇ１〜Ｇｍと直交するように互いに平行に配置される。画素Ｐは、走査信号線Ｇ１〜Ｇｍと映像信号線Ｓ１〜Ｓｎの交点のそれぞれに対応して配置され、対応する走査信号線と対応する映像信号線に接続される。
【００２７】
表示制御部１２は、立体表示装置１０の動作を制御する。表示制御部１２には立体表示装置１０の外部から、水平同期信号ＨＳＹＮＣ、垂直同期信号ＶＳＹＮＣ、左右切替信号ＬＲ、および、映像信号Ｄ１が入力される。表示制御部１２は、これらの信号に基づき、走査信号線駆動回路１３に対して制御信号ＣＧを出力し、映像信号線駆動回路１４に対して制御信号ＣＳと映像信号Ｄ２を出力し、バックライト１５に対して制御信号ＣＢを出力し、シャッター眼鏡１６に対して制御信号ＣＸを出力する。
【００２８】
走査信号線駆動回路１３と映像信号線駆動回路１４は、液晶パネル１１の駆動回路である。走査信号線駆動回路１３は、制御信号ＣＧに基づき、走査信号線Ｇ１〜Ｇｍを順に駆動する。より詳細には、走査信号線駆動回路１３に供給される制御信号ＣＧには、ゲートスタートパルスやゲートクロックなどが含まれる。走査信号線駆動回路１３は、これらの制御信号に基づき、走査信号線Ｇ１〜Ｇｍを昇順に（Ｇ１、Ｇ２、…、Ｇｍの順に）選択する。走査信号線Ｇｉ（ｉは１以上ｍ以下の整数）の選択期間では、走査信号線Ｇｉに接続されたｎ個の画素Ｐが一括して選択される。
【００２９】
映像信号線駆動回路１４は、制御信号ＣＳと映像信号Ｄ２に基づき、映像信号線Ｓ１〜Ｓｎを駆動する。より詳細には、映像信号線駆動回路１４に供給される制御信号ＣＳには、ソーススタートパルスやソースクロックなどが含まれる。映像信号線駆動回路１４は、映像信号Ｄ２に含まれるｎ個の階調値に応じてｎ個の階調電圧を生成し、生成したｎ個の階調電圧を映像信号線Ｓ１〜Ｓｎにそれぞれ印加する。これにより、走査信号線駆動回路１３を用いて選択されたｎ個の画素Ｐに、ｎ個の階調電圧がそれぞれ書き込まれる。ｎ個の階調電圧を書き込む処理をｍ回行うことにより、液晶パネル１１に所望の画像を表示することができる。
【００３０】
以下、液晶パネル１１の走査信号線Ｇ１側の端が画面の上端に対応し、走査信号線Ｇｍ側の端が画面の下端に対応するものとする。走査信号線Ｇ１〜Ｇｍは昇順に選択されるので、画面は上端から下端に向かって順に更新される。
【００３１】
バックライト１５は、液晶パネル１１の背面側に設けられ、液晶パネル１１の背面に光を照射する。バックライト１５は、制御信号ＣＢに従い、全面点灯および全面消灯する。例えば、バックライト１５は、制御信号ＣＢがハイレベルのときには全面点灯し、制御信号ＣＢがローレベルのときには全面消灯する。
【００３２】
シャッター眼鏡１６は、液晶シャッターで構成された左目用シャッター１７Ｌと右目用シャッター１７Ｒを有する。シャッター眼鏡１６は、制御信号ＣＸに従い、左目用シャッター１７Ｌと右目用シャッター１７Ｒのうち、いずれを開放状態にするかを切り替える。例えば、制御信号ＣＸがローレベルのときには左目用シャッター１７Ｌが開放状態になり、制御信号ＣＸがハイレベルのときには右目用シャッター１７Ｒが開放状態になる。
【００３３】
映像信号Ｄ１には、左目用信号と右目用信号が画像単位で交互に含まれている。左右切替信号ＬＲは、映像信号Ｄ１が左目用信号か右目用信号かを示す。映像信号線駆動回路１４は、左目用信号と右目用信号を画像単位で交互に用いて映像信号線Ｓ１〜Ｓｎを駆動する。したがって、画面には左目用画像と右目用画像が交互に表示される。利用者は、シャッター眼鏡１６を掛けて画面を見る。シャッター眼鏡１６は、画面に左目用画像が表示されている間は左目用シャッター１７Ｌが開放状態になり、画面に右目用画像が表示されている間は右目用シャッター１７Ｒが開放状態になるように制御される。これにより、利用者は立体画像を認識する。
【００３４】
図２は、表示制御部１２の詳細を示すブロック図である。図２に示す表示制御部１２は、制御信号生成部２１、垂直位置判定部２２、フレームメモリ２３、３個のルックアップテーブル（以下、ＬＵＴという）２４ａ〜２４ｃ、および、映像信号補正部２５を含んでいる。
【００３５】
制御信号生成部２１には、水平同期信号ＨＳＹＮＣ、垂直同期信号ＶＳＹＮＣ、および、左右切替信号ＬＲが入力される。制御信号生成部２１は、これらの制御信号に基づき、制御信号ＣＧ、ＣＳ、ＣＢ、ＣＸを生成する。制御信号生成部２１は、画面中央部でクロストークが小さくなる（画面中央部で左目用画像と右目用画像が分離して表示される）タイミングに従い、制御信号ＣＧ、ＣＳ、ＣＢ、ＣＸを生成する。制御信号ＣＧ、ＣＳ、ＣＢ、ＣＸは、それぞれ、走査信号線駆動回路１３、映像信号線駆動回路１４、バックライト１５、および、シャッター眼鏡１６に供給される。
【００３６】
垂直位置判定部２２は、制御信号ＣＧに含まれるゲートスタートパルスとゲートクロックに基づき、画面内の垂直位置（画面内の縦方向の位置）を示す判定信号Ｑを出力する。本実施形態では、画面を上下方向に３分割して得られた領域を、上から順に画面上部、画面中央部および画面下部という。判定信号Ｑの値は、画面上部、画面中央部および画面下部に対応した走査信号線の選択期間では、それぞれ、１、２および３になるとする。
【００３７】
映像信号補正部２５は、映像信号Ｄ１に対してオーバーシュート処理またはアンダーシュート処理を行い、得られた信号を映像信号Ｄ２として出力する。ここで、オーバーシュート処理とは、連続した２枚のフレーム間の階調値の変化量を大きくする処理（すなわち、現フレームの階調値が前フレームの階調値よりも大きいときには現フレームの階調値を大きく補正し、現フレームの階調値が前フレームの階調値よりも小さいときには現フレームの階調値を小さく補正する処理）をいう。アンダーシュート処理とは、連続した２枚のフレーム間の階調値の変化量を小さくする処理（すなわち、現フレームの階調値が前フレームの階調値よりも大きいときには現フレームの階調値を小さく補正し、現フレームの階調値が前フレームの階調値よりも小さいときには現フレームの階調値を大きく補正する処理）をいう。オーバーシュート処理を行えば、画素の透過率の変化は高速になり、アンダーシュート処理を行えば、画素の透過率の変化は低速になる。
【００３８】
映像信号補正部２５は、フレームメモリ２３とＬＵＴ２４ａ〜２４ｃを用いて、オーバーシュート処理とアンダーシュート処理を行う。また、映像信号補正部２５は、垂直位置判定部２２から出力された判定信号Ｑに従い、オーバーシュート処理とアンダーシュート処理の強度を切り替える。
【００３９】
表示制御部１２に入力された映像信号Ｄ１は、フレームメモリ２３と映像信号補正部２５に入力される。フレームメモリ２３は、映像信号Ｄ１を少なくとも１フレーム分記憶できる容量を有し、映像信号Ｄ１を１フレーム期間（左目用画像と右目用画像を１枚ずつ表示する期間）だけ遅延させる。以下、映像信号Ｄ１を現フレームの映像信号といい、フレームメモリ２３から出力された映像信号Ｄ０を前フレームの映像信号という。
【００４０】
図３は、ＬＵＴ２４ａ〜２４ｃの構成例を示す図である。図３に示すように、ＬＵＴ２４ａ〜２４ｃは、それぞれ、前フレームの映像信号Ｄ０の階調値ｄ０と現フレームの映像信号Ｄ１の階調値ｄ１の組み合わせに対応づけて、補正後の階調値を予め記憶している。ＬＵＴ２４ａは、アンダーシュート処理のための階調値を記憶している。ＬＵＴ２４ｂは、オーバーシュート処理またはアンダーシュート処理のための階調値を記憶している。ＬＵＴ２４ｃは、オーバーシュート処理のための階調値を記憶している。ＬＵＴ２４ａを用いたアンダーシュート処理の強度は、ＬＵＴ２４ｂを用いたアンダーシュート処理の強度よりも強い。ＬＵＴ２４ｃを用いたオーバーシュート処理の強度は、ＬＵＴ２４ｂを用いたオーバーシュート処理の強度よりも強い。階調値ｄ０、ｄ１に対応してＬＵＴ２４ａ〜２４ｃに記憶された補正後の階調値ｄａ、ｄｂ、ｄｃは、ｄ０＜ｄ１のときにはｄａ≦ｄ１≦ｄｃとｄａ≦ｄｂ≦ｄｃを満たし、ｄ０＞ｄ１のときにはｄｃ≦ｄ１≦ｄａとｄｃ≦ｄｂ≦ｄａを満たすように決定される。
【００４１】
映像信号補正部２５には、前フレームの映像信号Ｄ０、現フレームの映像信号Ｄ１、および、判定信号Ｑが入力される。判定信号Ｑの値が１のときには、映像信号補正部２５は、階調値ｄ０、ｄ１に対応した補正後の階調値ｄａをＬＵＴ２４ａから読み出す。映像信号補正部２５は、判定信号Ｑの値が２のときには、階調値ｄ０、ｄ１に対応した補正後の階調値ｄｂをＬＵＴ２４ｂから読み出し、判定信号Ｑの値が３のときには、階調値ｄ０、ｄ１に対応した補正後の階調値ｄｃをＬＵＴ２４ｃから読み出す。
【００４２】
映像信号補正部２５は、判定信号Ｑの値が１のときにはＬＵＴ２４ａを用いてアンダーシュート処理を行い、判定信号Ｑの値が２のときにはＬＵＴ２４ｂを用いてオーバーシュート処理またはアンダーシュート処理を行い、判定信号Ｑの値が３のときにはＬＵＴ２４ｃを用いてオーバーシュート処理を行う。映像信号補正部２５は、判定信号Ｑに応じてＬＵＴ２４ａ〜２４ｃのいずれかを選択することにより、画面内の垂直位置に応じてオーバーシュート処理とアンダーシュート処理の強度を切り替える。
【００４３】
以下、立体表示装置１０の効果を説明する。立体表示装置１０では、制御信号ＣＧ、ＣＳ、ＣＢ、ＣＸは、画面中央部でクロストークが小さくなるタイミングに従い生成される。このように画像表示タイミングとバックライトおよびシャッター眼鏡の制御タイミングを固定的に決定した場合、特段の工夫を行わなければ、画面上部や画面下部においてクロストークが発生する（図８およびその説明を参照）。
【００４４】
この問題を解決するために、映像信号補正部２５は、画面内の垂直位置に応じてオーバーシュート処理とアンダーシュート処理の強度を切り替える。画面上部に対応した映像信号には、ＬＵＴ２４ａを用いてアンダーシュート処理が行われる。画面中央部に対応した映像信号には、ＬＵＴ２４ｂを用いてオーバーシュート処理またはアンダーシュート処理が行われる。画面下部に対応した映像信号には、ＬＵＴ２４ｃを用いてオーバーシュート処理が行われる。画面上部に対応した映像信号に対するアンダーシュート処理の強度は、画面中央部に対応した映像信号に対するアンダーシュート処理の強度よりも強い。また、画面下部に対応した映像信号に対するオーバーシュート処理の強度は、画面中央部に対応した映像信号に対するオーバーシュート処理の強度よりも強い。
【００４５】
図４は、立体表示装置１０における画素の透過率（画素の輝度）の変化の例を示す図である。オーバーシュート処理を行うと、画素の透過率の変化は高速になり、オーバーシュート処理の強度が強いほど、画素の透過率の変化はより高速になる。アンダーシュート処理を行うと、画素の透過率の変化は低速になり、アンダーシュート処理の強度が強いほど、画素の透過率の変化はより低速になる。したがって、立体表示装置１０では、図４に示すように、画面上部の画素の透過率は画面中央部の画素の透過率よりも低速で変化し、画面下部の画素の透過率は画面中央部の画素の透過率よりも高速で変化する。
【００４６】
画面上部の画素の透過率は低速で変化するので、バックライトが消灯する前に画面上部の画素の透過率が変化し始めたとしても、現フレームの画像に次フレームの画像が混入する程度は小さくなる。このため、画面上部で発生するクロストークは小さくなる。また、画面下部の画素の透過率は高速で変化するので、バックライトが点灯する前に画面上部の画素の透過率は最終値に到達する。あるいは、画面上部の画素の透過率が最終値に到達する前にバックライトが点灯したとしても、現フレームの画像に前フレームの画像が混入する程度は小さくなる。このため、画面下部で発生するクロストークは小さくなる。また、立体表示装置１０は、全面点灯および全面消灯するバックライト１５を備えている。したがって、領域ごとに点灯と消灯を制御できるバックライトを備えた立体表示装置よりも、コストを削減することができる。
【００４７】
以上に示すように、本実施形態に係る立体表示装置１０は、画面を表示する液晶パネル１１と、画面を第１方向（縦方向）に順に更新し、画面に左目用画像および右目用画像を交互に表示させるパネル駆動回路（走査信号線駆動回路１３と映像信号線駆動回路１４）と、液晶パネル１１の背面側に設けられ、全面点灯および全面消灯するバックライト１５と、交互に開放状態に制御される左目用シャッター１７Ｌおよび右目用シャッター１７Ｒを有するシャッター眼鏡１６と、映像信号Ｄ１に対してフレーム間の階調値の変化量を大きくまたは小さくする補正（オーバーシュート処理またはアンダーシュート処理）を行い、補正後の映像信号Ｄ２をパネル駆動回路に対して出力する映像信号補正部２５とを備えている。映像信号補正部２５は、画面内の第１方向の位置に応じて、フレーム間の階調値の変化量を大きくまたは小さくする程度を切り替える。
【００４８】
パネル駆動回路は、画面を第１端から第２端に向かって（上端から下端に向かって）順に更新し、映像信号補正部２５は、映像信号Ｄ１に対して、第１端に近いほど（画面の上端に近いほど）フレーム間の階調値の変化量をより小さく（アンダーシュート処理の程度を大きく）し、第２端に近いほど（画面の下端に近いほど）フレーム間の階調値の変化量をより大きく（オーバーシュート処理の強度を大きく）する補正を行う。
【００４９】
画面内の第１方向の位置に応じて、フレーム間の階調値の変化量を大きくまたは小さくする程度を切り替えることにより、画面内の第１方向の位置に応じて、画素の透過率が変化する速度を切り替えることができる。したがって、画面内の第１方向の位置にかかわらず、画素の透過率が変化し終わる時期を互いに近づけて、クロストークを小さくすることができる。特に、画面を１方向に順に更新する場合に、画面内で先に更新される部分ほど画素の透過率をより低速に変化させ、画面内で後に更新される部分ほど画素の透過率をより高速に変化させることにより、画素の透過率が変化し終わる時期を互いに近づけて、クロストークを小さくすることができる。また、全面点灯および全面消灯するバックライトを用いることにより、立体表示装置のコストを低減することができる。
【００５０】
また、制御信号生成部２１は、画面中央部で左目用画像および右目用画像が分離して表示されるタイミングで、制御信号ＣＧ、ＣＳ、ＣＢ、ＣＸを生成する。したがって、制御信号生成部２１で生成された制御信号を用いて画像表示とバックライト１５およびシャッター眼鏡１６の制御を行うことにより、画面中央部でクロストークを小さくすることができる。
【００５１】
（第２の実施形態）
本発明の第２の実施形態に係る立体表示装置は、第１の実施形態に係る立体表示装置と同じ構成を有する（図１〜図３を参照）。以下、本実施形態に係る立体表示装置について、第１の実施形態に係る立体表示装置との差異を説明する。
【００５２】
本実施形態では、制御信号生成部２１は、画面上部でクロストークが小さくなる（画面上部で左目用画像と右目用画像が分離して表示される）タイミングに従い、制御信号ＣＧ、ＣＳ、ＣＢ、ＣＸを生成する。
【００５３】
ＬＵＴ２４ａ〜２４ｃは、いずれもオーバーシュート処理のための階調値を記憶している。ＬＵＴ２４ｂを用いたオーバーシュート処理の強度は、ＬＵＴ２４ａを用いたオーバーシュート処理の強度よりも強い。ＬＵＴ２４ｃを用いたオーバーシュート処理の強度は、ＬＵＴ２４ｂを用いたオーバーシュート処理の強度よりも強い。階調値ｄ０、ｄ１に対応してＬＵＴ２４ａ〜２４ｃに記憶された補正後の階調値ｄａ、ｄｂ、ｄｃは、ｄ０＜ｄ１のときにはｄ１≦ｄａ≦ｄｂ≦ｄｃを満たし、ｄ０＞ｄ１のときにはｄｃ≦ｄｂ≦ｄａ≦ｄ１を満たすように決定される。
【００５４】
判定信号Ｑの値が１のときには、映像信号補正部２５は、ＬＵＴ２４ａを用いてオーバーシュート処理を行う。映像信号補正部２５は、判定信号Ｑの値が２のときには、ＬＵＴ２４ｂを用いてオーバーシュート処理を行い、判定信号Ｑの値が３のときには、ＬＵＴ２４ｃを用いてオーバーシュート処理を行う。このように映像信号補正部２５は、判定信号Ｑに応じてＬＵＴ２４ａ〜２４ｃのいずれかを選択することにより、画面内の垂直位置に応じてオーバーシュート処理の強度を切り替える。
【００５５】
図５は、本実施形態に係る立体表示装置における画素の透過率の変化の例を示す図である。本実施形態に係る立体表示装置は、画面内の垂直位置に応じてオーバーシュート処理の強度を切り替える。画面上部、画面中央部および画面下部に対応した映像信号には、それぞれ、ＬＵＴ２４ａ〜２４ｃを用いてオーバーシュート処理が行われる。上述したように、ＬＵＴ２４ｂを用いたオーバーシュート処理の強度はＬＵＴ２４ａを用いたオーバーシュート処理の強度よりも強く、ＬＵＴ２４ｃを用いたオーバーシュート処理の強度はＬＵＴ２４ｂを用いたオーバーシュート処理の強度よりも強い。
【００５６】
したがって、本実施形態に係る立体表示装置では、画面中央部の画素の透過率は画面上部の画素の透過率よりも高速で変化する。また、画面下部の画素の透過率は画面中央部の画素の透過率よりもさらに高速で変化する（図５を参照）。よって、画面上部でクロストークが小さくなるように画像表示タイミングとバックライトおよびシャッター眼鏡の制御タイミングを決定した立体表示装置について、画面中央部や画面下部で発生するクロストークを小さくすることができる。
【００５７】
以上に示すように、本実施形態に係る立体表示装置では、映像信号補正部２５は、映像信号Ｄ１に対して、第２端に近いほど（画面の下端に近いほど）フレーム間の階調値の変化量をより大きくする補正（より強いオーバーシュート処理）を行う。画面を１方向に順に更新する場合に、画面内で後に更新される部分ほど画素の透過率をより高速に変化させることにより、画素の透過率が変化し終わる時期を互いに近づけて、クロストークを小さくすることができる。
【００５８】
（第３の実施形態）
図６は、本発明の第３の実施形態に係る立体表示装置の構成を示すブロック図である。図６に示す立体表示装置３０は、液晶パネル３１、表示制御部３２、走査信号線駆動回路３３、映像信号線駆動回路３４ａ、３４ｂ、バックライト１５、および、シャッター眼鏡１６を備えている。本実施形態の構成要素のうち、第１の実施形態と同一の要素については、同一の参照符号を付して説明を省略する。
【００５９】
液晶パネル３１は、第１の実施形態に係る液晶パネル１１に対して、映像信号線Ｓ１〜Ｓｎをそれぞれ２つの部分に分ける変更を施したものである。図６に示すように、液晶パネル３１は、上側部分Ｓ１ａ〜Ｓｎａと下側部分Ｓ１ｂ〜Ｓｎｂに分割されたｎ本の映像信号線を含んでいる。
【００６０】
走査信号線駆動回路３３は、制御信号ＣＧに基づき、上半分の走査信号線Ｇ１〜Ｇｍ／２を降順に（Ｇｍ／２、Ｇｍ／２−１、…、Ｇ１の順に）選択する処理と、下半分の走査信号線Ｇｍ／２＋１〜Ｇｍを昇順に（Ｇｍ／２＋１、Ｇｍ／２＋２、…、Ｇｍの順に）選択する処理とを並列に行う。走査信号線Ｇｊ（ｊは１以上ｍ／２以下の整数）の選択期間は走査信号線Ｇｍ−ｊ＋１の選択期間に一致し、この期間では走査信号線Ｇｊ、Ｇｍ−ｊ＋１に接続された２ｎ個の画素Ｐが一括して選択される。
【００６１】
映像信号線駆動回路３４ａは、液晶パネル３１の一辺（図６では上側の辺）に沿って配置され、制御信号ＣＳと映像信号Ｄ２に基づき、映像信号線の上側部分Ｓ１ａ〜Ｓｎａを駆動する。映像信号線駆動回路３４ｂは、液晶パネル３１の対向する辺（図６では下側の辺）に沿って配置され、制御信号ＣＳと映像信号Ｄ２に基づき、映像信号線の下側部分Ｓ１ｂ〜Ｓｎｂを駆動する。
【００６２】
表示制御部３２は、第１の実施形態に係る表示制御部１２と同様の構成を有する（図２を参照）。表示制御部３２は、以下の点で表示制御部１２と相違する。本実施形態では、画面を上下方向に６分割して得られた領域を、上から順に第１〜第６領域という。判定信号Ｑの値は、第１、第２および第３領域に対応した走査信号線の選択期間では、それぞれ３、２および１になるとする。
【００６３】
ＬＵＴ２４ａ〜２４ｃは、いずれもオーバーシュート処理のための階調値を記憶している。ＬＵＴ２４ｂを用いたオーバーシュート処理の強度はＬＵＴ２４ａを用いたオーバーシュート処理の強度よりも強く、ＬＵＴ２４ｃを用いたオーバーシュート処理の強度はＬＵＴ２４ｂを用いたオーバーシュート処理の強度よりも強い。映像信号補正部２５は、判定信号Ｑの値が１のときには、ＬＵＴ２４ａを用いてオーバーシュート処理を行い、判定信号Ｑの値が２のときには、ＬＵＴ２４ｂを用いてオーバーシュート処理を行い、判定信号Ｑの値が３のときには、ＬＵＴ２４ｃを用いてオーバーシュート処理を行う。
【００６４】
図７は、立体表示装置３０における画素の透過率の変化の例を示す図である。本実施形態に係る立体表示装置は、画面内の垂直位置に応じてオーバーシュート処理の強度を切り替える。第３および第４領域に対応した映像信号には、ＬＵＴ２４ａを用いてオーバーシュート処理が行われる。第２および第５領域に対応した映像信号には、ＬＵＴ２４ｂを用いてオーバーシュート処理が行われる。第１および第６領域に対応した映像信号には、ＬＵＴ２４ｃを用いてオーバーシュート処理が行われる。上述したように、ＬＵＴ２４ｂを用いたオーバーシュート処理の強度はＬＵＴ２４ａを用いたオーバーシュート処理の強度よりも強く、ＬＵＴ２４ｃを用いたオーバーシュート処理の強度はＬＵＴ２４ｂを用いたオーバーシュート処理の強度よりも強い。
【００６５】
したがって、本実施形態に係る立体表示装置では、第２および第５領域の画素の透過率は、第３および第４領域の画素の透過率よりも高速で変化する。また、第１および第６領域の画素の透過率は、第２および第５領域の画素の透過率よりもさらに高速で変化する（図７を参照）。したがって、画面中央部でクロストークが小さくなるように画像表示タイミングとバックライトおよびシャッター眼鏡の制御タイミングを決定した立体表示装置について、画面上部や画面下部で発生するクロストークを小さくすることができる。
【００６６】
以上に示すように、本実施形態に係る立体表示装置では、映像信号補正部２５は、映像信号Ｄ１に対して、第１端および第２端に近いほど（画面の上端と下端に近いほど）フレーム間の階調値の変化量をより大きくする補正（より強いオーバーシュート処理）を行う。画面を中央から２方向に順に更新する場合に、画面内で後に更新される部分ほど画素の透過率をより高速に変化させることにより、画素の透過率が変化し終わる時期を互いに近づけて、クロストークを小さくすることができる。
【００６７】
なお、第１〜第３の実施形態に係る立体表示装置では、垂直位置判定部２２は画面内の垂直位置を３段階に判定し、映像信号補正部２５はオーバーシュート処理とアンダーシュート処理の強度（あるいは、オーバーシュート処理の強度）を３段階に切り替えることとした。これに代えて、本発明の立体表示装置では、垂直位置判定部は画面内の垂直位置を４段階以上に判定し、映像信号補正部はオーバーシュート処理とアンダーシュート処理の強度（あるいは、オーバーシュート処理の強度）を４段階以上に切り替えてもよい。
【符号の説明】
【００６８】
１０、３０…立体表示装置
１１、３１…液晶パネル
１２、３２…表示制御部
１３、３３…走査信号線駆動回路
１４、３４…映像信号線駆動回路
１５…バックライト
１６…シャッター眼鏡
１７…シャッター
２１…制御信号生成部
２２…垂直位置判定部
２３…フレームメモリ
２４…ＬＵＴ
２５…映像信号補正部
【図１】
2014017652.tif 000003
【図２】
2014017652.tif 000004
【図３】
2014017652.tif 000005
【図４】
2014017652.tif 000006
【図５】
2014017652.tif 000007
【図６】
2014017652.tif 000008
【図７】
2014017652.tif 000009
【図８】
2014017652.tif 000010